(57)【要約】【課題】電動二輪車の二次利用性を向上すること。【解決手段】走行駆動力を発生する電動モータと、前記電動モータに給電するバッテリと、を備えた電動二輪車であって、自電動二輪車と他電動二輪車とが走行可能なように、前記他電動二輪車に連結可能な折り畳み式の連結部を更に備える。【選択図】図５
2019130947.tif 000002
【特許請求の範囲】
【請求項１】
走行駆動力を発生する電動モータと、
前記電動モータに給電するバッテリと、
を備えた電動二輪車であって、
自電動二輪車と他電動二輪車とが走行可能なように、前記他電動二輪車に連結可能な折り畳み式の連結部を更に備える、
ことを特徴とする電動二輪車。
【請求項２】
請求項１に記載の電動二輪車であって、
前記連結部は展開状態において荷台を構成する荷台部を含む、
ことを特徴とする電動二輪車。
【請求項３】
請求項２に記載の電動二輪車であって、
前記連結部は、左右に前記自電動二輪車と前記他電動二輪車を連結する、
ことを特徴とする電動二輪車。
【請求項４】
請求項３に記載の電動二輪車であって、
前記連結部の格納状態において、前記荷台部は車体側面を構成する、
ことを特徴とする電動二輪車。
【請求項５】
請求項３に記載の電動二輪車であって、
前記連結部による連結状態において、前記自電動二輪車の前後輪と、前記他電動二輪車の前後輪とが鉄道の線路の幅だけ離間している、
ことを特徴とする電動二輪車。
【請求項６】
請求項１乃至請求項５のいずれか一項に記載の電動二輪車であって、
ヘッドライトを更に備える、
ことを特徴とする電動二輪車。
【請求項７】
請求項１乃至請求項６のいずれか一項に記載の電動二輪車であって、
前記バッテリにより給電される自動体外式除細動器の収納部を更に備える、
ことを特徴とする電動二輪車。
【請求項８】
請求項１乃至請求項７のいずれか一項に記載の電動二輪車であって、
車体側部に設けられた画像表示装置を更に備える、
ことを特徴とする電動二輪車。
【請求項９】
請求項１乃至請求項８のいずれか一項に記載の電動二輪車であって、
前記電動二輪車の周囲状況を検知するセンサを更に備える、
ことを特徴とする電動二輪車。
【請求項１０】
請求項１乃至請求項９のいずれか一項に記載の電動二輪車であって、
前輪を備える前部ユニットと、
後輪を備える後部ユニットと、
前記前部ユニットと前記後部ユニットとの間に配置され、前記バッテリを備える中部ユニットと、を更に備え、
前記中部ユニットに対して前記前部ユニット及び前記後部ユニットが昇降可能である、
ことを特徴とする電動二輪車。
【請求項１１】
請求項１乃至請求項１０のいずれか一項に記載の電動二輪車であって、
折り畳み式のハンドル及びシートを更に備え、
前記連結部、前記ハンドル及び前記シートの格納状態で、前記電動二輪車の外形が、車幅方向に薄型の直方体形状である、
ことを特徴とする電動二輪車。
【請求項１２】
四輪車に積載可能な電動二輪車と、該電動二輪車とネットワークを介して通信可能な情報処理装置と、を備えた情報処理システムであって、
前記電動二輪車は、
現在位置を検知する位置検知センサと、
前記電動二輪車の周囲状況を検知する状況検知センサと、
前記状況検知センサの検知結果を、前記位置検知センサの検知結果と関連付けた検知情報を前記情報処理装置へ送信する送信ユニットと、を含み、
前記情報処理システムは、前記検知情報を受信する受信ユニットを含み、
前記検知情報は、
前記電動二輪車が前記四輪車に積載されている状態で前記状況検知センサが検知した周囲状況に基づく情報と、
前記電動二輪車が前記四輪車に積載されていない状態で前記状況検知センサが検知した周囲状況に基づく情報と、を含む、
ことを特徴とする情報処理システム。
【発明の詳細な説明】
【技術分野】
【０００１】
本発明は電動二輪車に関する。
【背景技術】
【０００２】
二輪車、四輪車といったモビリティは、その電子化に伴って新たな用途が見いだされつつある。例えば、特許文献１には建物内で居住者がモビリティを呼び寄せ、外出可能なシステムが提案されている。
【先行技術文献】
【特許文献】
【０００３】
【特許文献１】特開２００７−２５５０９４号公報
【発明の概要】
【発明が解決しようとする課題】
【０００４】
ここで、現在のところ電動二輪車はライダ個人の移動手段として用いられている（一次利用性）。しかし、電動二輪車は、四輪車はもとより、内燃機関を駆動源とした二輪車よりも小型化が可能であり、限られたスペースに設置可能であるという利点がある。そこで、新たな用途（二次利用性）の可能性がある。
【０００５】
本発明の目的は、電動二輪車の二次利用性を向上することにある。
【課題を解決するための手段】
【０００６】
本発明によれば、
走行駆動力を発生する電動モータと、
前記電動モータに給電するバッテリと、
を備えた電動二輪車であって、
自電動二輪車と他電動二輪車とが走行可能なように、前記他電動二輪車に連結可能な折り畳み式の連結部を更に備える、
ことを特徴とする電動二輪車が提供される。
【０００７】
また、本発明によれば、四輪車に積載可能な電動二輪車と、該電動二輪車とネットワークを介して通信可能な情報処理装置と、を備えた情報処理システムであって、
前記電動二輪車は、
現在位置を検知する位置検知センサと、
前記電動二輪車の周囲状況を検知する状況検知センサと、
前記状況検知センサの検知結果を、前記位置検知センサの検知結果と関連付けた検知情報を前記情報処理装置へ送信する送信ユニットと、を含み、
前記情報処理システムは、前記検知情報を受信する受信ユニットを含み、
前記検知情報は、
前記電動二輪車が前記四輪車に積載されている状態で前記状況検知センサが検知した周囲状況に基づく情報と、
前記電動二輪車が前記四輪車に積載されていない状態で前記状況検知センサが検知した周囲状況に基づく情報と、を含む、
ことを特徴とする情報処理システムが提供される。
【発明の効果】
【０００８】
本発明によれば、電動二輪車の二次利用性を向上することができる。
【図面の簡単な説明】
【０００９】
【図１】（Ａ）及び（Ｂ）は本発明の一実施形態に係る電動二輪車の斜視図。
【図２】図１の電動二輪車の斜視図。
【図３】図１の電動二輪車の制御系のブロック図。
【図４】（Ａ）及び（Ｂ）は図１の電動二輪車の変形態様例の説明図。
【図５】（Ａ）及び（Ｂ）は図１の電動二輪車の二次利用形態例の説明図。
【図６】（Ａ）及び（Ｂ）は図１の電動二輪車の二次利用形態例の説明図。
【図７】図１の電動二輪車の二次利用形態例の説明図。
【図８】（Ａ）及び（Ｂ）は図１の電動二輪車の二次利用形態例の説明図。
【図９】（Ａ）及び（Ｂ）は図１の電動二輪車の二次利用形態例の説明図。
【図１０】（Ａ）及び（Ｂ）は図１の電動二輪車の二次利用形態例の説明図。
【図１１】（Ａ）及び（Ｂ）は図１の電動二輪車の二次利用形態例の説明図。
【図１２】（Ａ）は図１の電動二輪車を用いた情報処理システムのブロック図、（Ｂ）は図１２（Ａ）の情報処理システムを利用したビジネスモデル例の説明図。
【発明を実施するための形態】
【００１０】
図面を参照して本発明の一実施形態に係る電動二輪車１について説明する。各図において、矢印Ｄ１は車両前後方向を示し、Ｆは前側、Ｂは後側を示す。矢印Ｄ２は車幅方向を示し、Ｒは走行時における右側、Ｌは走行時における左側を示す。
【００１１】
＜基本的な構成＞
図１（Ａ）〜図２を参照する。電動二輪車１は鞍乗型の電動二輪車であり、ライダが電動二輪車１に跨って走行することに適した走行態様と、電動二輪車１の保管や展示に適した保管態様とに変形可能である。図１（Ａ）及び図１（Ｂ）は電動二輪車１を後側から見た斜視図であり、図１（Ａ）は走行態様を、図１（Ｂ）は保管態様を示している。図２は電動二輪車１を前側から見た斜視図であり、保管態様を示している。
【００１２】
電動二輪車１は車体ＢＤを含み、この車体ＢＤには、Ｄ１方向に離間した前輪２及び後輪３と、上部後方に配置されたシート４と、前部に配置されたハンドル５Ｒ及び５Ｌ並びにブレーキレバー６Ｒ及び６Ｌと、下部に配置されたステップ７Ｒ及び７Ｌと、が支持されている。図１（Ａ）に示す走行態様において、ライダは車体ＢＤに跨りつつシート４に着座し、ステップ７Ｒ、７Ｌに左右の足を乗せると共にハンドル５Ｒ及び５Ｌを把持して乗車姿勢をとることができる。ハンドル５Ｒはその軸回りに回転可能なアクセル操作子を構成しており、ハンドル５Ｒに対するライダの操作により、前輪２及び後輪３が回転して電動二輪車１が走行する。また、ブレーキレバー６Ｒは後輪３に、ブレーキレバー６Ｌは前輪２に対応しており、ライダがこれらブレーキレバー６Ｒ、６Ｌを操作することで電動二輪車１の制動を行うことができる。
【００１３】
本実施形態の場合、車体ＢＤは大別すると中部ユニット１Ａ、前部ユニット１Ｂ及び後部ユニット１Ｃの三つのユニットから構成されており、Ｄ１方向前側から前部ユニット１Ｂ、中部ユニット１Ａ、後部ユニット１Ｃの順に接続されている。中央の中部ユニット１Ａには、後述する制御ユニット３０が内蔵され、中部ユニット１Ａを基本ユニットとして、異なる種類の前部ユニット１Ｂや後部ユニット１Ｃを中部ユニット１Ａに接続することで、異なる電動車両１を構築することも可能である。なお、車体ＢＤは本実施形態のように三つのユニットから構成する以外に、一つ又は二つ若しくは四つ以上のユニットで構成されてもよい。
【００１４】
前部ユニット１Ｂの上部には、ハンドル５Ｒ及び５Ｌ並びにブレーキレバー６Ｒ及び６Ｌが設けられている。以下に述べるように、本実施形態の場合、ハンドル５Ｒ及び５Ｌはセパレートハンドルであり、ブレーキレバー６Ｒ及び６Ｌと共に前部ユニット１Ｂに対して、個別に格納及び展開が可能な折り畳み式のハンドルを構成している。
【００１５】
前部ユニット１Ｂの上部には、ハンドル５Ｒ及び５Ｌ並びにブレーキレバー６Ｒ及び６Ｌを収容する収容部１３Ｒ、１３Ｌが形成されている。収容部１３Ｒ、１３ＬはＤ１方向に延び、Ｄ２方向に凹んだ溝状の凹部である。ハンドル５Ｒ及び５Ｌの根元側には、それぞれ球状の接続部５ａが設けられており、接続部５ａは収容部１３Ｒ、１３Ｌの前端部に、Ｄ２方向に転動可能に支持されている。また、ブレーキレバー６Ｒ及び６Ｌの各根元部は、対応する接続部５ａにＤ１方向に回動可能に支持されている。
【００１６】
ハンドル５Ｒ及び５Ｌ並びにブレーキレバー６Ｒ及び６Ｌは、図１（Ａ）に示す展開状態においてはＤ２方向外側に突出している。ブレーキレバー６Ｒはハンドル５Ｒの前側に位置しており、ハンドル５Ｒを把持するライダが操作可能となっている。ハンドル５Ｌに対するブレーキレバー６Ｌの配置も同様である。
【００１７】
ハンドル５Ｒ及び５Ｌは、展開状態から接続部５ａを回動中心として図１（Ｂ）で矢印で示すように水平方向内側に回動され、図１（Ｂ）や図２で示す格納状態に折り畳むことができる。収容部１３Ｒの深さは、格納状態においてハンドル５Ｒ及びブレーキレバー６Ｒが前部ユニット１Ｂの側面からＤ２方向に突出しないように設定されている。収容部１３Ｌの深さも同様である。本実施形態の場合、ハンドル５Ｒ及び５Ｌの回動は手動操作であるが、この回動を自動化させるモータ等のアクチュエータを備えてもよい。
【００１８】
ハンドル５Ｒ及び５Ｌの各先端部にはＬＥＤ等の発光素子を備える方向指示器１０Ｒ、１０Ｌが設けられており、不図示のスイッチを操作することで、右折時に方向指示器１０Ｒを、左折時に方向指示器１０Ｌをそれぞれ点滅することができる。
【００１９】
前部ユニット１Ｂの下部には前輪２がＤ２方向に延設された車軸２ａを回転中心として回転可能に支持されている。前輪２は、その下部と前部が露出する一方、その大部分が前部ユニット１Ｂの外装に覆われている。
【００２０】
前部ユニット１Ｂの前部にはヘッドライトユニット８が設けられている。ヘッドライトユニット８は、ＬＥＤ等の発光素子を複数搭載した基板等から構成されるヘッドライト８ａと、カメラ１３とを内蔵する。ヘッドライト８ａはその発光により電動二輪車１の前方を照明する。カメラ１３は電動二輪車１の前方の画像を撮像する。
【００２１】
中部ユニット１Ａの下部には、ステップ７Ｒ、７Ｌが設けられている。本実施形態の場合、ステップ７Ｒ、７Ｌは中部ユニット１Ａに対して、個別に格納及び展開が可能な折り畳み式のステップを構成している。すなわち、ステップ７Ｒ、７Ｌの根元側には、それぞれ、Ｄ１方向の軸を備えたヒンジ部（不図示）が設けられており、ステップ７Ｒ、７Ｌは上下方向に回動可能に支持されている。
【００２２】
ステップ７Ｒ、７Ｌは、図１（Ａ）に示す展開状態においてはＤ２方向外側に突出しており、展開状態における上面にライダが足を載せることができる。ステップ７Ｒ、７Ｌは、展開状態から図１（Ｂ）で矢印で示すように上方向内側に回動され、図１（Ｂ）や図２で示す格納状態に折り畳むことができる。折り畳んだ状態において、ステップ７Ｒ、７Ｌの外側の面は中部ユニット１Ａの側面や底面を構成する。本実施形態の場合、ステップ７Ｒ、７Ｌの回動は手動操作であるが、この回動を自動化させるモータ等のアクチュエータを備えてもよい。
【００２３】
中部ユニット１Ａの両側面には、それぞれ、液晶表示パネルなどの画像表示装置１１Ｒ、１１Ｌが設けられており、情報を表示可能に構成されている。画像表示装置１１Ｒ、１１Ｌはライダというよりも、周囲の人々に対する情報の発信を目的として設けられている。
【００２４】
後部ユニット１Ｃの下部には後輪３がＤ２方向に延設された車軸３ａを回転中心として回転可能に支持されている。前輪３は、その下部と後部が露出する一方、その大部分が後部ユニット１Ｃの外装に覆われている。
【００２５】
後部ユニット１Ｃの上部には、シート４が設けられている。シート４は後部ユニット１Ｃに対して格納及び展開が可能な折り畳み式のシートを構成している。シート４は左右の展開部４ａ、４ａと、展開部４ａ、４ａの間の中央部４ｂとを含み、展開部４ａは、その前端部を回動中心としてＤ２方向に回動可能に構成され、中央部４ｂは上下に変位可能に構成されている。シート４は、図１（Ａ）に示す展開状態においては、展開部４ａ、４ａが左右に回動してその間に中央部４ｂが位置し、全体として扇形なしている。シート４は、展開状態から図１（Ｂ）に矢印で示すように展開部４ａ、４ａがＤ２方向内側に回動しつつ、中央部４ｂは展開部４ａ、４ａの下方へ変位した格納状態に折り畳むことができる。
【００２６】
格納状態においては、展開部４ａ、４ａの内側側部が互いにつき合わされて平面視で長円形状の殻形状をなし、中央部４ｂはその下側で後部ユニット１Ｃ上面の凹部に収容されて隠れた状態となる。中央部４ｂは、例えば、不図示のバネにより上方に常時付勢されており格納状態では上方への変位が展開部４ａ、４ａにより規制され、展開部４ａ、４ａが展開されると、規制がなくなって上方に変位して図１（Ａ）の形態となる。展開状態から格納状態へ折り畳む場合には、中央部４ｂを下方へ押し込みつつ、展開部４ａ、４ａをＤ２方向内側に回動することで格納状態となる。本実施形態の場合、シート４の展開、収納は手動により行われるが、これを自動化させるモータ等のアクチュエータを備えてもよい。
【００２７】
後部ユニット１Ｃの後部には、テールライトユニット９が設けられており、ＬＥＤ等の発光素子を複数搭載した基板等から構成されるテールライトや制動時に点灯するブレーキライトを内蔵する。
【００２８】
後部ユニット１Ｃの両側面には、それぞれ、液晶表示パネルなどの画像表示装置１２Ｒ、１２Ｌが設けられており、情報を表示可能に構成されている。画像表示装置１１Ｒ、１１Ｌと同様に、画像表示装置１２Ｒ、１２Ｌはライダというよりも、周囲の人々に対する情報の発信を目的として設けられている。
【００２９】
こうした構成を備えた電動二輪車１は、図１（Ａ）に示す走行態様においてはシート４、ハンドル５Ｒ、５Ｌ及びブレーキレバー６Ｒ、６Ｌ、並びにステップ７Ｒ、７Ｌが展開状態とされ、図１（Ｂ）及び図２に示す保管態様においてはシート４、ハンドル５Ｒ、５Ｌ及びブレーキレバー６Ｒ、６Ｌ、並びにステップ７Ｒ、７Ｌが格納状態とされる。
【００３０】
保管態様において、電動二輪車１の外形はＤ２方向に薄型の直方体形状となり、コンパクトな形態となる。具体的には、電動二輪車１の外形は、上部ＵＰ、左右の側部ＳＰ、前部ＦＰ、後部ＲＰ、底部ＢＰを有した直方体形状であり、上部ＵＰは僅かに逆Ｕ字型を有し、前部ＦＰ、後部ＲＰ、底部ＢＰにおいて前輪２又は後輪３が僅かに突出した外形を有している。ハンドル５Ｒ、５Ｌ等が突出しないことから、保管スペースがより小さくてすみ、また、通路脇等に置かれた場合に通行の妨げになりにくく、保管性がよい。
【００３１】
＜制御系＞
電動二輪車１の制御系の構成について説明する。図３は電動二輪車１の制御系のブロック図である。電動二輪車１は、電動二輪車１を制御するＥＣＵとして機能する制御ユニット３０が中部ユニット１Ａに内蔵されている。制御ユニット３０は、処理部３１と、ＲＡＭ、ＲＯＭ等の記憶部３２と、外部デバイスと処理部３１との信号の送受信を中継するインタフェース（Ｉ／Ｆ）部３３と、通信インタフェース（Ｉ／Ｆ）部３４ａ及び３４ｂを含む。処理部３１は、ＣＰＵに代表されるプロセッサであり、記憶部３２に記憶されたプログラムを実行し、電動二輪車１の動作を制御する。通信Ｉ／Ｆ部３４ａは、インターネット等のネットワーク上のサーバと無線通信が可能な通信インタフェースであり、通信Ｉ／Ｆ部３４ｂは、ライダが所有する携帯端末１００と無線通信が可能なインタフェースである。
【００３２】
制御ユニット３０には、カメラ１３、ＧＰＳセンサ３７、温度センサ３８、操作検知センサ３９が電気的に接続されている。ＧＰＳセンサ３７は電動二輪車１の現在位置を検知する。カメラ１３及び温度センサ３８は、電動二輪車１の周囲状況を検知するセンサである。こうしたセンサの検知結果は、電動二輪車１の走行支援の他、電動二輪車１の周囲状況の情報収集に活用することもできる。情報収集の例については後述する。
【００３３】
本実施形態の場合、カメラ１３は既に述べたとおり、電動二輪車１の前方の画像を撮像する。カメラ１３の撮像範囲は電動二輪車１の前方に限られず、側方や後方、上方や下方であってもよい。また、撮影範囲が異なる複数のカメラ１３を搭載してもよい。カメラ１３で撮影した画像は、前方の障害物や車線の逸脱を検知してライダに報知したり、自動制動を行う等、電動二輪車１の走行支援制御に用いることができる。温度センサ３８は、電動二輪車１の周囲の気温を計測するセンサである。検知した気温は不図示の表示装置或いは携帯端末１００によりライダに知らせることができる。
【００３４】
操作検知センサ３９は、電動二輪車１に対するライダの操作を検知するセンサ群である。操作検知センサ３９には、例えば、ハンドル５Ｒに対するアクセル操作を検知するセンサ、ブレーキレバー６Ｒ、６Ｌに対する制動操作を検知するセンサ、方向指示器１０Ｒ、１０Ｌの作動指示を検知するセンサ等が含まれる。
【００３５】
制御ユニット３０は発光素子３５、警報装置３６の駆動を制御する。発光素子３５には、ヘッドライト８ａの発光素子、テールライトユニット９に内蔵される発光素子、方向指示器１０Ｒ、１０Ｌの発光素子等が含まれる。音出力装置３６は、ライダに対して音声情報を提供したり、或いは、電動二輪車１の周囲に対して音声情報の提供や注意を喚起する警報の発動を行うことができる。
【００３６】
制御ユニット３０は画像表示装置１１Ｒ、１１Ｌ、１２Ｒ、１２Ｌの表示を制御する。画像表示装置１１Ｒ、１１Ｌ、１２Ｒ、１２Ｌには各種の情報を表示することができる。
【００３７】
制御ユニット３０は電動モータＭＦ、ＭＲの駆動を制御する。電動モータＭＦは前輪２を回転するモータであり、電動モータＭＲは後輪３を回転するモータである。制御ユニット３０は、例えば、ハンドル５Ｒに対するアクセル操作に対応して電動二輪車１が加速するように電動モータＭＦ、ＭＲの駆動を制御することができ、また、ブレーキレバー６Ｒ、６Ｌに対する制動操作に対応して電動二輪車１が減速するように電動モータＭＦ、ＭＲの駆動を制御することができる。
【００３８】
本実施形態では、電動モータＭＦ、ＭＲは、前輪２、後輪３のホイールに内蔵されたインホイールモータであり、ホイールの外部に配置される構成よりも、電動二輪車１の小型化、薄型化を図ることができる。無論、電動モータＭＦ、ＭＲが、ホイールの外部に配置されてもよく、また、変速機がモータと車輪との間に介在する構成であってもよい。更に本実施形態では、前輪２、後輪３の両輪を駆動するが、一方の車輪のみを駆動する構成であってもよい。
【００３９】
中部ユニット１Ａの上部には、自動体外式除細動器１６が収納されている。電動二輪車１の周辺に急病人が存在する場合に、この自動体外式除細動器１６を利用することができる。バッテリＢＴは電動二輪車１の電力源であり、不図示の電源回路を介して、制御ユニット３０等の電気回路や、モータＭＦ、ＭＲ等の電動アクチュエータに電力が供給される  制御ユニット３０は電動ブレーキ装置ＢＦ、ＢＲの駆動を制御する。電動ブレーキ装置ＢＦは前輪２を制動する装置であり、電動ブレーキ装置ＢＲは後輪３を制動する装置である。制御ユニット３０は、例えば、ブレーキレバー６Ｒ、６Ｌに対する制動操作に対応して電動ブレーキ装置ＢＦ、ＢＲの駆動を制御することができる。
【００４０】
制御ユニット３０は電子制御式サスペンション装置ＳＦ、ＳＢの駆動を制御する。ここで本実施形態の場合、中部ユニット１Ａが台形状をなし、前部ユニット１Ｂは中部ユニット１Ａの、Ｄ１方向で前側の斜辺に沿って上下に変位可能に中部ユニット１Ａに接続されている。また、前部ユニット１Ｂは中部ユニット１Ａに対して、中部ユニット１Ａの前側の斜辺に沿ったステアリング軸線１７ａの回りに転陀可能に軸支部１７を介して中部ユニット１Ａに接続されている。後部ユニット１Ｃは、中部ユニット１Ａの、Ｄ１方向で後側の斜辺に沿って上下に変位可能に中部ユニット１Ａに接続されている。
【００４１】
電子制御式サスペンション装置ＳＦは、例えば、中部ユニット１Ａに対して前部ユニット１Ｂを中部ユニット１Ａの前側の斜辺に沿って上下方向に相対変位させる電磁アクチュエータを含む。また、電子制御式サスペンション装置ＳＢは、中部ユニット１Ａに対して後部ユニット１Ｃを中部ユニット１Ａの後側の斜辺に沿って上下方向に相対変位させる電磁アクチュエータを含む。前部ユニット１Ｂや後部ユニット１Ｃが中部ユニット１Ａに対して上下に変位可能に構成されることで、路面の凹凸に対して前輪２や後輪３の接地性を向上することができる。
【００４２】
また、本実施形態の場合、電子制御式サスペンション装置ＳＦ、ＳＢは、前輪２や後輪３の路面追従性の向上という機能の他に、電動二輪車１の形態を変化させる機能も有している。図４（Ａ）はその一例を示す。同図の例では、電子制御式サスペンション装置ＳＦ、ＳＢによって、中部ユニット１Ａに対して前部ユニット１Ｂ及び後部ユニット１Ｃが降下した位置を基準位置とした電動二輪車１の形態を例示している。この形態でライダが電動二輪車１を運転することも可能である。この形態の場合、シート４とステップ７Ｒ及び７Ｌとの距離が近づくので、小柄なライダが電動二輪車１を運転し易くなる。つまり、電子制御式サスペンション装置ＳＦ、ＳＢによってライダの体型に合わせて、電動二輪車１の形態を変化させることが可能である。
【００４３】
図４（Ｂ）も電子制御式サスペンション装置ＳＦ、ＳＢにより電動二輪車１の形態を変化させる例を示しているが異なる目的により形態を変化させている。図４（Ｂ）には、バッテリステーション等の充電設備において、充電器１１０によるバッテリＢＴの充電時の形態を例示している。電動二輪車１は中部ユニット１Ａが充電器１１０上に載置され、姿勢を安定させるために中部ユニット１Ａに対して前部ユニット１Ｂ及び後部ユニット１Ｃを降下させている。前輪２及び後輪３は床面から離間している。
【００４４】
本実施形態の場合、充電器１１０は非接触充電器であり、ワイヤレスでバッテリＢＴを給電する。バッテリＢＴは中部ユニット１Ａの下部に位置しているため、充電器１１０との距離をより短くすることができる。充電器１１０として非接触充電器を用いることにより、ケーブルの接続作業が不要となり、より簡易にバッテリＢＴの充電を行える。
【００４５】
＜二次利用性＞
電動二輪車１は、ライダ個人の移動手段として用いる他に様々な用途がある（二次利用性）。その用途について説明する。
【００４６】
＜複数の電動二輪車１の連結＞
図５（Ａ）及び図５（Ｂ）を参照して複数の電動二輪車１の連結について説明する。電動二輪車１は折り畳み式の連結部２０を備える。図５（Ａ）は連結部２０を展開した状態を示し、図５（Ｂ）は連結部２０により、電動二輪車１と電動二輪車１’とを連結した例を示している。電動二輪車１’は電動二輪車１と同じ構成の二輪車である。
【００４７】
本実施形態において、連結部２０は格納状態（例えば図１（Ａ）、図１（Ｂ）の状態）において車体ＢＤの側部ＳＰを構成しており、その表面２０ａは側部ＳＰの表面を構成する。本実施形態の場合、連結部２０は、特に、中部ユニット１Ａの側部の外装を構成して中部ユニット１Ａの本体１４を覆う部材である。本実施形態の場合、連結部２０は車体ＢＤの左右の両側部に設けられている。
【００４８】
連結部２０は、その上部が中部ユニット１Ａの本体１４の上部に連結され、その連結部位を回動中心としてＤ２方向に回動自在である。連結部位は、例えば、軸と軸受からなるヒンジ部で構成される。図５（Ａ）に示す連結部２０の展開状態においては、本体１４に形成された収納部１５が露出し、連結部２０の格納状態においては、収納部１５は連結部２０に覆われる。収納部１５には自動体外式除細動器１６が収納される。つまり、自動体外式除細動器１６を使用する場合、連結部２０を展開することでこれを取り出すことができる。収納部１５にはバッテリＢＴと電気的に接続された給電コネクタ１５ａが設けられている。給電コネクタ１５ａを介してバッテリＢＴから自動体外式除細動器１６に給電することが可能であり、バッテリＢＴの電力を利用することで自動体外式除細動器１６を直ちに利用できる。
【００４９】
回動時に自由端となる連結部２０の下部には、連結先の連結部２０と接続される接続部２１が設けられている。接続部２１は、例えば、連結部２０間を接締結するボルトが螺合するねじ穴、連結部２０間を接続する接続軸が嵌合する嵌合孔等、連結部２０間を固定可能な係合構造である。なお、連結部２０の格納状態において、接続部２１は底部ＢＰに位置する。
【００５０】
展開状態において、連結部２０は複数の支柱２２により本体１４に支持される。支柱２２は、その一端２２ａが本体１４に、他端２２ｃが連結部２０の自由端側の端部に、それぞれ回動自在に取り付けられている。支柱２２の途中にはヒンジ部２２ｂが設けられており、支柱２２はヒンジ部２２ｂにおいて二つ折りが可能となっている。展開状態において支柱２２は直線の棒状となり、格納状態において支柱２２は二つ折りとされ、かつ、連結部２０と本体１４との間の空間に収納される。
【００５１】
連結部２０には窓部２３が形成されている。窓部２３は、連結部２０の格納状態において本体１４に固定されている画像表示装置１１Ｌ（又は１１Ｒ）の表示領域を露出させるために形成されており、連結部２０を厚み方向に貫通する開口である。窓部２３には開口を塞ぐ透過性を有する部材（例えばアクリル板、ガラス板）を設けてもよい。
【００５２】
図５（Ｂ）は、電動二輪車１と電動二輪車１’とを左右に連結した連結態様を例示している。電動二輪車１、１’の各連結部２０は、表面２０ａが略水平になるように展開され、互いの自由端が突き当てられるようにして接続部２１同士が固定されている。互いに連結された電動二輪車１、１’は、各前輪２が略同軸に、また、各後輪３が略同軸に位置し、全体として四輪車を構成している。
【００５３】
図５（Ｂ）の例では、電動二輪車１が走行態様とされ、電動二輪車１’が保管態様とされている。電動二輪車１’はその形態が保管態様とされているものの、前輪２、後輪３の駆動により走行推進力を発生可能である。つまり、本実施形態では、電動二輪車１、１’が単に連結されるだけではなく、電動二輪車１、１’が走行可能なように連結される。このため、電動二輪車１、１’は四輪車として走行することができる。
【００５４】
電動二輪車１、１’の走行に際しては、ライダが電動二輪車１に搭乗し、電動二輪車１を操作する一方、電動二輪車１’を電動二輪車１の走行に同調して走行させることで全体として走行することができる。その際、電動二輪車１の制御ユニット３０の通信Ｉ／Ｆ部３４ｂと電動二輪車１’の制御ユニット３０の通信Ｉ／Ｆ部３４ｂとの通信により、電動二輪車１’を電動二輪車１の走行に同調して走行させてもよい。電動二輪車１、１’の各制御ユニット３０間の通信の他の例としては、連結時に導通状態となる電気接点を各接続部２１に備えておき、これらの電気接点を介して各制御ユニット３０間の通信を行う構成でもよい。また、ライダが搭乗する、搭乗しないにかかわらず、携帯端末１００と電動二輪車１、１’の各制御ユニット３０との通信により電動二輪車１、１’を走行させてもよい。電動二輪車１’にライダ以外の者が搭乗し、二人乗りの状態で走行してもよい。
【００５５】
このように電動二輪車１、１’が同時走行可能に連結されることで、電動二輪車１’に人や荷物を搭載しつつ移動可能となり、電動二輪車１の二次利用性、特に、積載性、輸送性を向上することができる。
【００５６】
電動二輪車１は、四輪車と比較してコンパクトであり、また、内燃機関を駆動源とする二輪車と比較してもコンパクトに構成される。特に、電動二輪車１の形態を保管態様とした場合は保管スペースも少なくて足りる。更に、二輪車としての走行時には四輪車と比較して移動の自由度も高い。したがって、例えば、電動二輪車１を地域の各所に配置しておいても大きな邪魔にはならず、逆に、被災時や障害発生時における緊急時の移動手段、輸送手段として活用することができる。
【００５７】
また、図５（Ｂ）の例では、電動二輪車１、１’を左右に連結して四輪車を構成しているため、二輪車の形態よりも走行が安定する。したがって、被災地で被災者を輸送する際や、体調がすぐれない者を一時的に輸送する必要が生じた場合の輸送手段として有益である。特に、図５（Ｂ）の例では連結部２０を、その表面２０ａを荷台部とした荷台として利用することができる。この荷台に物や人を載せて輸送することで、電動二輪車１、１’の単体に比較して、積載性、輸送性を大幅に向上できる。しかも、表面２０ａは車体ＢＤの側面（側部ＳＰの表面）を形成する部位もあるので、荷台部を車体ＢＤの側面と兼用でき、積載性を高めながら電動二輪車１のコンパクト化を図れる。
【００５８】
図５（Ｂ）の例は、鉄道で障害発生した際の輸送手段、移動手段としても活用可能である。例えば、図６（Ａ）に示すように、電動二輪車１の前後輪２及び３と、電動二輪車１’の前後輪２及び３とが鉄道の線路ＲＬの幅Ｌ１だけ離れる設計とすれば、電動二輪車１、１’が四輪車の形態で線路ＲＬ上を移動できる。電車が線路ＲＬ上で立ち往生した際の搭乗者の救護や物資の補給に電動二輪車１、１’を活用することができる。その際、脱輪防止用のガイド１８を電動二輪車１、１’に装着することで、より安定して線路ＲＬ上を移動することができる。ガイド１８は、電動二輪車１、１’が線路ＲＬを逸脱しそうになった場合に、線路ＲＬと干渉してこれを阻止する。
【００５９】
＜他の連結構造及び連結形態＞
図６（Ｂ）は、電動二輪車１、１’の別の連結態様を例示している。同図の例では、電動二輪車１’の連結部２０が、最大回動量となる垂直姿勢まで展開されている。この場合、電動二輪車１’の連結部２０の支柱２２は取り外される。電動二輪車１の連結部２０の接続部２１は、電動二輪車１’の連結部２０の根元部に設けられた不図示の接続部に接続されている。電動二輪車１、１’は、全体として、電動二輪車１の連結部２０を座面、電動二輪車１’の連結部２０を背もたれとした椅子型の形態をなしている。この形態は、高齢者や足元が不自由な人が着座姿勢で搭乗可能な移動手段として利用でき、例えば、ショッピングセンターや公共施設等の建物内での移動手段として利用できる。
【００６０】
図７は、電動二輪車１、１’の更に別の連結態様を例示している。同図の例では、電動二輪車１’の連結部２０は連結に用いられず、電動二輪車１の連結部２０のみが用いられている。電動二輪車１の連結部２０は、連結軸２４を介して電動二輪車１’の中部ユニット１Ａの上部に回動自在に連結されている。
【００６１】
電動二輪車１’の中部ユニット１Ａは、上述した電子制御式サスペンション装置ＳＦ、ＳＢを利用して、前部ユニット１Ｂ及び後部ユニット１Ｃから上昇させ、連結部２０を水平姿勢に維持している。同図の例では、電動二輪車１、１’は階段状の路面１１０を走行しており、電動二輪車１の接地面と電動二輪車１’の接地面との高さに応じて、前部ユニット１Ｂ及び後部ユニット１Ｃに対する中部ユニット１Ａの上昇量を調整して連結部２０を水平姿勢に維持している。これにより、段差がある走路を電動二輪車１、１’が走行する場合であっても、荷台となる連結部２０を水平姿勢に維持することができる。
【００６２】
図８（Ａ）は電動二輪車１、１’の更に別の連結態様を例示している。同図の例では、電動二輪車１、１’が前後方向に連結された例を示している。電動車両１の前部ＦＰには、折り畳み式の連結部２５が設けられている。連結部２５は本実施形態の場合、上下方向に回動自在であり、図８（Ａ）では電動二輪車１の連結部２５は格納状態に、電動車両１’の連結部２５が展開状態にある。連結部２５は板状の部材であり、格納状態においては前部ＦＰの表面を構成する一方、展開状態では格納状態から９０度回動して前方に突出している。
【００６３】
電動車両１の後部ＲＰには、連結部２６と同様の構成の折り畳み式の連結部２６が設けられている。図８（Ａ）では電動二輪車１の連結部２６が展開状態にあり、後方に突出している。電動二輪車１’の連結部２６は格納状態にあり（図面上は隠れている）、後部ＲＰの表面を構成している。
【００６４】
連結部２５、２６にはボルト２５ａが螺合するねじ穴が形成されている。図８（Ａ）の例では、展開状態にある電動二輪車１の連結部２６と電動二輪車１’の連結部２５とが上下に重ねられてボルト２５ａにより互いに締結されている。これにより電動二輪車１、１’が前後に連結される。
【００６５】
このように連結された電動二輪車１、１’も、同時走行可能に連結されることで、電動二輪車１’に人や荷物を搭載しつつ移動可能となり、電動二輪車１の二次利用性、特に、積載性、輸送性を向上することができる。連結された電動二輪車１、１’は、車幅が電動二輪車１の１台分の幅となるので、走路幅が狭い場合に有利である。
【００６６】
図８（Ｂ）は図８（Ａ）の連結形態において、電子制御式サスペンション装置ＳＦ、ＳＢを利用して、中部ユニット１Ａ、前部ユニット１Ｂ及び後部ユニット１Ｃの互いの高さを変更した形態例を示している。階段状の走路１２０に対応して、各ユニット１Ａ〜１Ｃの相対高さを変化させることで、走路１２０の昇降も可能である。
【００６７】
図８（Ａ）及び（Ｂ）の例では２台の電動二輪車１を前後に連結したが、３台以上の電動二輪車１を前後に連結してもよい。
【００６８】
また、図５（Ｂ）の左右の連結形態と図８（Ａ）の前後の連結形態とを併用して、３台以上の電動二輪車１を連結することも可能である。例えば、４台の電動二輪車１を左右前後に連結する場合、片側４輪の車両を構成する。こうした形態では、積載性、輸送性を更に向上することができ、また、図８（Ｂ）に例示した階段状の走路１２０の昇降も、より安定して行える。
【００６９】
＜二次利用性の他の例：表示装置等としての利用＞
電動二輪車１は、画像表示装置１１Ｒ、１１Ｌ、１２Ｒ又は１２Ｌを利用して、動く表示装置として利用可能であり、例えば、走行しながら広告を表示する宣伝手段としても活用できる。
【００７０】
また、電動二輪車１は、静止した表示装置として利用可能である。図９（Ａ）はその一例を示しており、建物のフロア１４０（例えば駅構内、イベント会場等）に表示装置として設置した例を示している。同図の例において、電動二輪車１は、保管態様とされ、柱１４１の側面に沿って配置されている。電動二輪車１を保管態様とすることで設置スペースを大きくとることなく、通行の邪魔にならずにこれを設置できる。なお、設置態様として、電動二輪車１が、これを起立状態に維持するスタンドを設けてもよく、或いは、電動二輪車１を柱１４１に立てかけて設置してもよい。
【００７１】
図９（Ａ）の例では、画像表示装置１１Ｒ、１１Ｌが露出するように電動二輪車１が複数配置されている。画像表示装置１１Ｒ、１１Ｌに情報を表示することで、通行人に情報を提示することができる。表示する情報は、例えば、広告、道案内、イベントの告知等である。
【００７２】
電動二輪車１は、それ自体が移動手段であるため、設置、撤去のための搬出入が容易である点で有利である。電動二輪車１を表示装置として利用する形態としては、道路上での標識も挙げられる。例えば、道路工事中であることを示す表示装置、マラソン等のイベントにおいて、道案内や注意事項を表示する表示装置等として電動二輪車１を利用することが可能であり、この場合も、設置位置まで自走でき、かつ、撤去時にも自走できることから、屋外の表示装置としての利用が特に有利である。
【００７３】
電動二輪車１の表示装置としての設置、或いは、不使用時の保管態様としては、床面上に置くだけでなく、ラックで吊り下げて宙吊り状態としてもよい。図９（Ｂ）はその一例を示しており、ラック１３０で電動二輪車１を吊り下げた態様を示している。ラック１３０は水平に延びる梁部１３１と、梁部１３１から下方に延びるアーム部１３２、１３２と、アーム部１３２から水平に延びる係合軸１３３とを一体に備え、例えば、鋼管により作成される。同図の例の場合、車軸２ａ、３ａが円筒状の中空軸であり、係合軸１３３、１３３が車軸２ａ、３ａに差し込まれている。
【００７４】
梁部１３１には、また、中部ユニット１Ａの上部を把持する把持部１３４が設けられており、電動二輪車１は、係合軸１３３、１３３と把持部１３４とによってラック１３０に支持される。
【００７５】
このようなラック１３０で宙吊り状態とすることで、電動二輪車１の保管態様の自由度を向上でき、また、表示装置として利用する場合の配置自由度を向上できる。
【００７６】
また、電動二輪車１は比較的光量が大きいヘッドライト８ａを備えているため、照明装置としても利用可能である。例えば、停電地域における夜間の臨時の照明装置として利用したり、イベント会場の臨時の照明装置としても活用できる。既に述べたとおり、電動二輪車１は、それ自体が移動手段であるため、設置、撤去のための搬出入が容易である点で有利である。
【００７７】
＜二次利用性の他の例：移動先の補助移動手段としての利用＞
電動二輪車１は、特に保管態様とすることでコンパクトな形態となることから、四輪車に搭載して、移動先の補助移動手段として利用することも可能である。
【００７８】
図１０（Ａ）及び図１０（Ｂ）はその一例を示している。同図の例は四輪車１５０に電動二輪車１を積載する例を示している。本実施形態では、四輪車１５０はトラックであり、例えば、配送用のトラックである。一般にトラックは、荷台の下方に台車などを収納する収納スペース１５１が設けられている。この収納スペース１５１に電動二輪車１を収納することで、四輪車１５０に電動二輪車１を積載することができる。
【００７９】
トラックは、幅が狭い小道を走行することは困難である。しかし、荷物の配送を目的とした場合、小道の脇に配送先の家、店舗が存在する場合がある。この場合、トラックの乗員は人力で荷物を配送先まで搬送しなければならない。しかし、四輪車１５０に電動二輪車１を積載しておくことで、小道を電動二輪車１で走行することができ、四輪車１５０の乗員は荷物の運搬負担が軽減される。図１１（Ａ）はその一例を示す。
【００８０】
同図の例では、幹線道路等、比較的幅の広い道路１６０については、電動二輪車１を積載した四輪車１５０で移動している。目的地が道路１６０から分岐した小道１６１の脇にあり、分岐点に四輪車１５０を停車している。乗員は、電動二輪車１を四輪車１５０から降ろし、電動二輪車１により小道１６１を移動している。これにより、小道１６１の比較的遠方の場所まで短時間で楽に移動することができる。
【００８１】
こうした電動二輪車１の利用形態は、配送業、ごみ回収業等の四輪車における利用に有利であるが、ファミリーユースにも有利であり、乗用車に電動二輪車１を積載して行き先で電動二輪車１を移動手段として利用することもできる。
【００８２】
＜二次利用性の他の例：情報収集手段としての利用＞
電動二輪車１は、カメラ１３や温度センサ３８といった電動二輪車１の周囲状況を検知する状況検知センサを備えていると共に、現在位置を検出する位置検出センサ、つまり、ＧＰＳセンサ３７を備えている。したがって、各地の情報（この場合は画像、気温）を収集する情報収集手段として利用することが可能である。
【００８３】
特に、図１０（Ａ）及び図１０（Ｂ）並びに図１１（Ａ）に例示した四輪車１５０に積載されている状態と、積載されていない状態との双方において、位置情報と関連付けて周囲状況の情報を収集することができる。四輪車１５０に積載されている状態では、地理的に広範囲の情報を収集することができる。四輪車１５０に積載されていない状態では、電動二輪車１の自走により、四輪車１５０が侵入困難な小道１６１等の希少情報を収集することができる。
【００８４】
図１１（Ｂ）はその一例を示している。同図の例は、位置Ｐ１〜Ｐ３においては、電動二輪車１が、道路１６０を走行している四輪車１５０に積載されてカメラ１３等により周囲状況が検知されている。「車載時情報」とは、電動二輪車１が四輪車１５０に積載されている状態でカメラ１３等により検知された周囲状況の検知結果を示している。位置Ｐ４及びＰ５においては、電動二輪車１が四輪車１５０から降ろされて、道路１６１を走行している間にカメラ１３等により周囲状況が検知されている。「自走時情報」とは、電動二輪車１が四輪車１５０に積載されている状態でカメラ１３等により検知された周囲状況の検知結果を示している。
【００８５】
こうして、地理的に広範囲の情報（位置Ｐ１〜Ｐ３の車載時情報）と、四輪車１５０が侵入困難な小道１６１等の希少情報（位置Ｐ４、Ｐ５の自走時情報）とを収集することができる。ＧＰＳセンサ３７の検知結果と、カメラ１３等の検知結果とは互いに関連付けて記憶部３２に格納したり、通信Ｉ／Ｆ部３４ａから配信することもできる。なお、状況検知センサとしては、カメラ１３、温度センサ３８の他に、音を検知するセンサ、湿度を検知するセンサ等であってもよい。
【００８６】
電動二輪車１で取得した情報をサーバで収集してもよい。図１２（Ａ）は、電動二輪車１で取得した情報をサーバ２００で収集する情報処理システムの例を示している。サーバ２００は、ネットワーク２１０を介して複数の電動二輪車１と通信可能である。
【００８７】
サーバ２００は、処理部２０１と、ＲＡＭ、ＲＯＭ、ハードディスク等の記憶部２０２と、ネットワーク２１０に接続可能な通信インタフェース（Ｉ／Ｆ）部２０３とを含む。処理部２０１は、ＣＰＵに代表されるプロセッサであり、記憶部２０２に記憶されたプログラムを実行する。プログラムには、電動二輪車１で取得した情報を収集する処理のプログラムが含まれる。サーバ２００と電動二輪車１とは、通信Ｉ／Ｆ部２０３と通信Ｉ／Ｆ部３４ａとにより通信可能である。
【００８８】
電動二輪車１の制御ユニット３０は、カメラ１３等で検知した周囲状況の検知結果をＧＰＳセンサ３７が検知した現在位置の情報と対応づけて通信Ｉ／Ｆ部３４ａによりサーバ２００に送信する。情報の送信はリアルタイムであってもよいし、一定期間の情報を記憶部３２に蓄積しておき、予め定めた送信時期が到来したときにまとめて実行してもよい。送信する情報は、「車載時情報」と「自走時情報」との双方を含むことができる。
【００８９】
サーバ２００は、電動二輪車１から受信した情報を記憶部２０２に保存する。電動二輪車１に個別の識別子を割り当てておき、受信した情報を識別子毎に保存してもよい。
【００９０】
ここで、電動二輪車１が四輪車１５０に積載された状態で検知された周囲状況は、積載されてない状態と検知条件が異なる場合がある。例えば、図１０（Ａ）及び図１０（Ｂ）並びに図１１（Ａ）に例示した例では、四輪車１５０に対して電動車両１が横向きで積載されており、カメラ１３の撮影方向も四輪車１５０の側方である。また、四輪車１５０の走行風等は温度センサ３８の検知精度に影響を与えうる。これに対して、電動二輪車１が自走している場合、カメラ１３の撮影方向は進行方向前方であり、また、温度センサ３８の使用環境は設計時に意図した環境である。
【００９１】
そこで、車載時情報と自走時情報とは、区別して記憶部２０２に保存され、サーバ２００に送信されてもよい。そして、車載時情報を自走時情報と対比可能なように補正してもよい。補正は、例えば、カメラ１３の撮影画像であれば、画像の向きを変えるものであってもよく、温度センサ３８の検知温度であれば、ＧＰＳセンサ３７の検知結果に基づく移動速度で補正してもよい。補正は電動二輪車１側で行ってもよいし、サーバ２００側で行ってもよい。サーバ２００側で行えば、制御ユニット３０の処理負担を軽減することができる。
【００９２】
サーバ２００で収集された情報は、さまざまな用途に活用できる。例えば、地図情報、天気予報のための基礎情報、報道情報等に活用できる。そこで、図１２（Ｂ）のようなビジネスモデルを構築することができる。
【００９３】
図１２（Ｂ）の例において、「電動二輪車提供者」とは電動二輪車１の貸与又は譲渡を行う事業者であって、例えば電動二輪車１の製造業者や販売業者であり、ここではサーバ２００の運営主体でもある。「電動二輪車利用者」とは電動二輪車１の貸与又は譲渡を受ける事業者であり、例えば四輪車１５０を利用して配送サービスや回収サービスを行う事業者、公共団体が想定される。「情報利用者」とは、電動二輪車１により取得され、サーバ２００に蓄積された情報を利用するユーザであり、例えば、地図情報の提供者、気象予報事業者、報道事業者である。
【００９４】
電動二輪車提供者は、電動二輪車利用者に対して、電動二輪車１による周囲状況の情報収集を許諾することを条件として、比較的安価に又は無償で電動二輪車１を貸与又は譲渡することができる。これにより、電動二輪車１の利用促進が図れ、また、周囲状況の情報収集量を拡大することができる。電動二輪車利用者に対する電動二輪車１の貸与又は譲渡の管理はサーバ２００で行ってもよい。
【００９５】
電動二輪車提供者は、情報利用者に対してサーバ２００で収集した情報を提供する一方、情報利用者から対価を得ることができる。
【００９６】
こうして、電動二輪車提供者、電動二輪車利用者、情報利用者の三者に有利なビジネスモデルを構築でき、図１２（Ａ）のシステムはその運営に寄与することができる。
【００９７】
＜実施形態のまとめ＞
１．上記実施形態の電動二輪車は、
走行駆動力を発生する電動モータ(例えばMF,MR)と、
前記電動モータに給電するバッテリ(例えばBT)と、
を備えた電動二輪車(例えば1)であって、
自電動二輪車(例えば1)と他電動二輪車(例えば1')とが走行可能なように、前記他電動二輪車に連結可能な折り畳み式の連結部(例えば20,25,26)を更に備える。
【００９８】
この実施形態によれば、同時走行可能に自電動二輪車と他電動二輪車を連結可能とすることで、他電動二輪車に荷物などを搭載しつつ、移動可能となり、電動二輪車の二次利用性を向上することができる。
【００９９】
２．上記実施形態の電動二輪車では、
前記連結部は展開状態において荷台を構成する荷台部(例えば20a)を含む、
ことを特徴とする。
【０１００】
この実施形態によれば、前記電動二輪車の積載性・輸送性を向上できる。
【０１０１】
３．上記実施形態の電動二輪車では、
前記連結部は、左右に前記自電動二輪車と前記他電動二輪車を連結する(例えば図5)。
【０１０２】
この実施形態によれば、四輪で安定した走行を行える。
【０１０３】
４．上記実施形態の電動二輪車では、
前記連結部の格納状態において、前記荷台部は車体側面(例えばSP表面)を構成する。
【０１０４】
この実施形態によれば、前記荷台部を前記車体側面と兼用でき、積載性を高めながら電動二輪車のコンパクト化を図れる。
【０１０５】
５．上記実施形態の電動二輪車では、
前記連結部による連結状態において、前記自電動二輪車の前後輪(例えば2,3)と、前記他電動二輪車の前後輪とが鉄道の線路(例えばRL)の幅(例えばL1)だけ離間している。
【０１０６】
この実施形態によれば、前記電動二輪車を緊急時の鉄道支援に活用できる。
【０１０７】
６．上記実施形態の電動二輪車は、
ヘッドライト(例えば8a)を更に備える。
【０１０８】
この実施形態によれば、緊急時の照明装置として前記電動二輪車を利用することができる。
【０１０９】
７．上記実施形態の電動二輪車は、
前記バッテリにより給電される自動体外式除細動器(例えば16)の収納部(例えば15)を更に備える。
【０１１０】
この実施形態によれば、前記電動二輪車を人命救助に活用できる。
【０１１１】
８．上記実施形態の電動二輪車は、
車体側部に設けられた画像表示装置(例えば11R,11L,12R,12L)を更に備える。
【０１１２】
この実施形態によれば、周囲に対して情報を提示する表示装置として前記電動二輪車を活用できる。
【０１１３】
９．上記実施形態の電動二輪車は、
前記電動二輪車の周囲状況を検知するセンサ(例えば13,38)を更に備える。
【０１１４】
この実施形態によれば、各地の情報収集手段として前記電動二輪車を活用できる。
【０１１５】
１０．上記実施形態の電動二輪車は、
前輪を備える前部ユニット(例えば1B)と、
後輪を備える後部ユニット(例えば1C)と、
前記前部ユニットと前記後部ユニットとの間に配置され、前記バッテリを備える中部ユニット(例えば1A)と、を更に備え、
前記中部ユニットに対して前記前部ユニット及び前記後部ユニットが昇降可能である。
【０１１６】
この実施形態によれば、前記電動二輪車を、段差のある通路を走行可能な姿勢等に変形させることができる。
【０１１７】
１１．上記実施形態の電動二輪車は、
折り畳み式のハンドル(例えば5R,5L)及びシート(例えば4)を更に備え、
前記連結部、前記ハンドル及び前記シートの格納状態で、前記電動二輪車の外形が、車幅方向に薄型の直方体形状である。
【０１１８】
この実施形態によれば、前記電動二輪車を、通行等を大きく邪魔することのない形態に変化させることができる。
【０１１９】
１２．上記実施形態の情報処理システムは、
四輪車(例えば150)に積載可能な電動二輪車(例えば1)と、該電動二輪車とネットワーク(例えば210)を介して通信可能な情報処理装置(例えば200)と、を備えた情報処理システムであって、
前記電動二輪車は、
現在位置を検知する位置検知センサ(例えば37)と、
前記電動二輪車の周囲状況を検知する状況検知センサ(例えば13,38)と、
前記状況検知センサの検知結果を、前記位置検知センサの検知結果と関連付けた検知情報を前記情報処理装置へ送信する送信ユニット(例えば34a)と、を含み、
前記情報処理システムは、前記検知情報を受信する受信ユニット(例えば203)を含み、
前記検知情報は、
前記電動二輪車が前記四輪車に積載されている状態で前記状況検知センサが検知した周囲状況に基づく情報(例えば車載時情報)と、
前記電動二輪車が前記四輪車に積載されていない状態で前記状況検知センサが検知した周囲状況に基づく情報(例えば自走時情報)と、を含む。
【０１２０】
この実施形態によれば、車載時には広範囲な情報を収集し、自走時には四輪車では進入困難な小道等のレア情報を収集することができ、電動二輪車の二次利用性を向上することができる。
【符号の説明】
【０１２１】
１  電動二輪車、ＭＦ  電動モータ、ＭＲ  電動モータ、２０  連結部
【図１】
2019130947.tif 000003
【図２】
2019130947.tif 000004
【図３】
2019130947.tif 000005
【図４】
2019130947.tif 000006
【図５】
2019130947.tif 000007
【図６】
2019130947.tif 000008
【図７】
2019130947.tif 000009
【図８】
2019130947.tif 000010
【図９】
2019130947.tif 000011
【図１０】
2019130947.tif 000012
【図１１】
2019130947.tif 000013
【図１２】
2019130947.tif 000014